(57)【要約】【課題】長期間にわたって安定して発電を行うことのできる発電部を備えた給紙装置を提供する。【解決手段】給紙カセット３０１に備えられる記録紙載置台３１０に、加えられた圧力を電力に変換する圧電素子を有する圧電素子ユニットを設け、記録紙載置台３１０に記録紙を載置することによって圧電素子に作用する圧力により発電を行う。【選択図】図１
2012006735.tif 000002
【特許請求の範囲】
【請求項１】
記録紙を載置する記録紙載置台を備え、上記記録紙載置台上に載置された記録紙を画像形成装置に供給する給紙装置であって、
上記記録紙載置台は、加えられた圧力を電力に変換する圧電素子を有する圧電素子ユニットを備えており、上記記録紙載置台に記録紙を載置することによって上記圧電素子に作用する圧力により発電を行うことを特徴とする給紙装置。
【請求項２】
上記圧電素子は、チタン酸バリウム、ジルコニア、リチウムタンタレートのうちのいずれか１つ以上を用いたものであることを特徴とする請求項１に記載の給紙装置。
【請求項３】
上記圧電素子ユニットは、複数の圧電素子が同一平面内に配置された圧電素子アレイを複数備えており、
上記各圧電素子アレイは、上記記録紙載置台における記録紙載置面に垂直な方向に積層されていることを特徴とする請求項１または２に記載の給紙装置。
【請求項４】
請求項１から３のいずれか１項に記載の給紙装置と、上記給紙装置から供給された記録紙上に画像を形成する画像形成部とを備えていることを特徴とする画像形成装置。
【請求項５】
上記圧電素子ユニットによって発電された電力の電圧を降圧する降圧部を１つ以上備えており、
電圧値の異なる複数種類の電力を生成することを特徴とする請求項４に記載の画像形成装置。
【請求項６】
上記画像形成装置は、外部から供給される電力によって駆動されるものであり、
上記圧電素子ユニットの発電した電力を蓄電する蓄電部を備え、
上記画像形成装置に対する外部からの電力供給が遮断されたときに、上記蓄電部に蓄電されている電力を上記画像形成装置の少なくとも一部を駆動するための電力として用いることを特徴とする請求項４または５に記載の画像形成装置。
【請求項７】
表示部を備え、
上記画像形成装置に対する外部からの電力供給が遮断されたときに、上記蓄電部に蓄電されている電力を用いて上記表示部を駆動し、外部からの電力供給が遮断されたことを示すメッセージ、推奨される対処法を示すメッセージ、および当該画像形成装置の状況を示すメッセージのうちのいずれか１つ以上を表示させることを特徴とする請求項６に記載の画像形成装置。
【請求項８】
ネットワークを介して通信可能に接続された他の装置との通信を行う通信部を備え、
上記画像形成装置に対する外部からの電力供給が遮断されたときに、上記蓄電部に蓄電されている電力を用いて上記通信部を駆動し、外部からの電力供給が遮断されたことを示すメッセージを予め設定された送信先に送信することを特徴とする請求項６または７に記載の画像形成装置。
【請求項９】
上記画像形成装置は、上記記録紙を搬送する記録紙搬送部を備えており、上記画像形成装置に対する外部からの電力供給が遮断されたときに、上記蓄電部に蓄電されている電力を用いて上記記録紙搬送部を駆動し、上記記録紙搬送部によって搬送中の記録紙を排出することを特徴とする請求項６から８のいずれか１項に記載の画像形成装置。
【発明の詳細な説明】
【技術分野】
【０００１】
本発明は、発電機能を備えた給紙装置およびそれを備えた画像形成装置に関するものである。
【背景技術】
【０００２】
従来、画像形成装置は、当該装置の外部から供給される電力（商用電源あるいは自家発電電源から供給される電力）によって駆動されている。また、これらの装置においては、ランニングコストの低減や地球環境問題への対策等のために、エネルギーの有効利用が求められている。
【０００３】
例えば、特許文献１には、ユニットと、ユニットが着脱自在に取り付けられる主装置とを備えた画像形成装置において、ユニットに、発電手段と、手動で動作される手動部と、発電手段と噛み合うように設けられ、動作に伴って発電手段を発電させる手動部用ギア機構とを設け、発電手段で発電された電力を用いて動作が行われた旨の信号をユニットから主装置側通信手段に送信する技術が開示されている。
【先行技術文献】
【特許文献】
【０００４】
【特許文献１】特開２００５−３２９５４５号公報（平成１７年月日公開）
【特許文献２】特開２００６−１６６６９４号公報（平成１８年６月２２日公開）
【発明の概要】
【発明が解決しようとする課題】
【０００５】
しかしながら、上記特許文献１の技術では、ユニットの着脱動作に伴う運動エネルギーを発電機に伝達するためのギア機構を設ける必要があり、またユニットの着脱動作はユーザによって行われるため、カセットの着脱動作が必要以上の力でなされたり、ユニットの着脱動作が頻繁に行われたりした場合に、ギア機構の磨耗や破損が生じて発電できなくなる虞がある。
【０００６】
本発明は、上記の問題点に鑑みてなされたものであり、その目的は、長期間にわたって安定して発電を行うことのできる発電部を備えた給紙装置および画像形成装置を提供することにある。
【課題を解決するための手段】
【０００７】
本発明の給紙装置は、上記の課題を解決するために、記録紙を載置する記録紙載置台を備え、上記記録紙載置台上に載置された記録紙を画像形成装置に供給する給紙装置であって、上記記録紙載置台は、加えられた圧力を電力に変換する圧電素子を有する圧電素子ユニットを備えており、上記記録紙載置台に記録紙を載置することによって上記圧電素子に作用する圧力により発電を行うことを特徴としている。
【０００８】
上記の構成によれば、記録紙を載置する際に圧電素子に作用する圧力、および記録紙を載置した後に給紙装置または画像形成装置の振動によって圧電素子に作用する圧力を電力に変換することができる。また、ギア機構を設ける必要がないので、ギア機構の磨耗や破損が生じて発電できなくなるという問題がなく、長期間にわたって安定して発電を行うことができる。
【０００９】
また、上記圧電素子は、チタン酸バリウム、ジルコニア、リチウムタンタレートのうちのいずれか１つ以上を用いたものである構成としてもよい。
【００１０】
上記の構成によれば、作用する圧力に比例して電気分極が生じて電圧が発生し、発電を行うことができる。
【００１１】
また、上記圧電素子ユニットは、複数の圧電素子が同一平面内に配置された圧電素子アレイを複数備えており、
上記各圧電素子アレイは、上記記録紙載置台における記録紙載置面に垂直な方向に積層されている構成としてもよい。
【００１２】
上記の構成によれば、記録紙を載置することによって圧力が作用する方向に、複数層の圧電素子アレイが積層されている。これにより、圧電素子ユニットの設置スペースを低減するとともに、記録紙の載置に伴う圧力を各圧電素子アレイに備えられた圧電素子に作用させて発電を行わせることができ、発電効率を向上させることができる。
【００１３】
本発明の画像形成装置は、上記したいずれかの給紙装置と、上記給紙装置から供給された記録紙上に画像を形成する画像形成部とを備えている。
【００１４】
上記の構成によれば、記録紙を載置する際に圧電素子に作用する圧力、および記録紙を載置した後に給紙装置または画像形成装置の振動によって圧電素子に作用する圧力を電力に変換することができる。また、ギア機構を設ける必要がないので、ギア機構の磨耗や破損が生じて発電できなくなるという問題がなく、長期間にわたって安定して発電を行うことができる。
【００１５】
また、上記圧電素子ユニットによって発電された電力の電圧を降圧する降圧部を１つ以上備えており、電圧値の異なる複数種類の電力を生成する構成としてもよい。
【００１６】
上記の構成によれば、圧電素子ユニットによって発電された電力を、その用途に応じた複数種類の電圧値に変換することができる。
【００１７】
また、上記画像形成装置は、外部から供給される電力によって駆動されるものであり、上記圧電素子ユニットの発電した電力を蓄電する蓄電部を備え、上記画像形成装置に対する外部からの電力供給が遮断されたときに、上記蓄電部に蓄電されている電力を上記画像形成装置の少なくとも一部を駆動するための電力として用いる構成としてもよい。
【００１８】
上記の構成によれば、画像形成装置に対する外部からの電力供給が遮断された場合に、上記蓄電部に蓄電しておいた電力を用いて画像形成装置の少なくとも一部を動作させることができる。また、膨大な送配電システムを設けることなく、安価で省スペースな補助電力源を提供できる。
【００１９】
また、表示部を備え、上記画像形成装置に対する外部からの電力供給が遮断されたときに、上記蓄電部に蓄電されている電力を用いて上記表示部を駆動し、外部からの電力供給が遮断されたことを示すメッセージ、推奨される対処法を示すメッセージ、および当該画像形成装置の状況を示すメッセージのうちのいずれか１つ以上を表示させる構成としてもよい。
【００２０】
上記の構成によれば、画像読取装置に対する外部からの電力供給が遮断された場合でも、外部からの電力供給が遮断されたことを示すメッセージ、推奨される対処法を示すメッセージ、および当該画像読取装置の状況を示すメッセージのうちのいずれか１つ以上を表示してユーザに提示することができる。
【００２１】
また、ネットワークを介して通信可能に接続された他の装置との通信を行う通信部を備え、上記画像形成装置に対する外部からの電力供給が遮断されたときに、上記蓄電部に蓄電されている電力を用いて上記通信部を駆動し、外部からの電力供給が遮断されたことを示すメッセージを予め設定された送信先に送信する構成としてもよい。
【００２２】
上記の構成によれば、画像読取装置に対する外部からの電力供給が遮断された場合でも、外部からの電力供給が遮断されたことを示すメッセージを所定の送信先に送信することができる。
【００２３】
また、上記画像形成装置は、上記記録紙を搬送する記録紙搬送部を備えており、上記画像形成装置に対する外部からの電力供給が遮断されたときに、上記蓄電部に蓄電されている電力を用いて上記記録紙搬送部を駆動し、上記記録紙搬送部によって搬送中の記録紙を排出する構成としてもよい。
【００２４】
上記の構成によれば、画像形成装置に対する外部からの電力供給が遮断された場合でも、記録紙搬送部によって搬送中の記録紙を排出することができるので、ユーザが搬送中の記録紙を記録紙搬送部から取り出す処理を手動で行う必要をなくすことができる。また、例えば画像形成装置に対する外部からの電力供給が復旧するなどして、記録紙搬送部による記録紙の搬送を再開する場合に、記録紙の搬送を即座に開始することができる。
【発明の効果】
【００２５】
以上のように、本発明の給紙装置は、記録紙載置台に、加えられた圧力を電力に変換する圧電素子を有する圧電素子ユニットを備えており、上記記録紙載置台に記録紙を載置することによって上記圧電素子に作用する圧力により発電を行う。
【００２６】
それゆえ、記録紙を載置する際に圧電素子に作用する圧力、および記録紙を載置した後に給紙装置または画像形成装置の振動によって圧電素子に作用する圧力を電力に変換することができる。また、長期間にわたって安定して発電を行うことができる。
【図面の簡単な説明】
【００２７】
【図１】（ａ）および（ｂ）は図２に示した画像形成装置に備えられる給紙カセットの構成を示す斜視図である。
【図２】本発明の一実施形態にかかる画像形成装置の構成を示す模式図である。
【図３】図２に示した画像形成装置の構成を示すブロック図である。
【図４】図２に示した画像形成装置に備えられる発電部の構成を示すブロック図である。
【図５】（ａ）は図４に示した発電部に備えられる第１電圧リミッタの構成を示す回路図であり、（ｂ）は図４に示した発電部に備えられる第２電圧リミッタの構成を示す回路図である。
【図６】図４に示した発電部に備えられる第１降圧部の構成を示す回路図である。
【図７】図２に示した画像形成装置の給紙カセットに備えられる記録紙載置台の平面図である。
【図８】（ａ）は図１に示した画像形成装置に備えられる圧電素子ユニットの断面図であり、（ｂ）はその一部を拡大した拡大図である。
【図９】図８（ａ）におけるＣ−Ｃ断面の断面図である。
【図１０】図１に示した画像形成装置における処理の流れの一例を示すフローチャートである。
【図１１】図１に示した画像形成装置における処理の流れの他の例を示すフローチャートである。
【発明を実施するための形態】
【００２８】
本発明の一実施形態について説明する。
【００２９】
（１−１．複合機１０の全体構成）
図２は本実施形態にかかる複合機（画像形成装置）１０の概略構成を示す模式図であり、図３は複合機１０のブロック図である。
【００３０】
図２および図３に示すように、複合機１０は、画像読取装置１００、画像処理装置２００、画像出力装置（画像形成装置）３００、制御部４００、操作パネル５００、電源供給部６００、発電部７００、および通信部９００を備えている。なお、図３に示したように、必要に応じて複合機１０に周辺装置８００を装着してもよい。周辺装置８００としては、例えば、画像出力装置３００に供給する記録紙を収容する給紙装置、画像出力装置３００によって画像形成された記録紙に対してステープル処理、仕分け処理、パンチ穴開け処理、製本処理等の後処理を施す後処理装置などが挙げられる。
【００３１】
制御部４００は、演算部４０１と記憶部４０２とを備えており、複合機１０に備えられる各装置、すなわち画像読取装置１００、画像処理装置２００、画像出力装置３００、操作パネル５００、電源供給部６００、発電部７００、および通信部９００の動作を制御する。なお、複合機１０に周辺装置８００が装着されている場合には、制御部４００は周辺装置８００の動作についても制御する。
【００３２】
記憶部４０２は、操作パネル５００を介してユーザから入力される各種コマンドや設定値、複合機１０の内部に配置される各種センサーの検知結果、複合機１０に設けられる各装置の動作を制御するための各種設定値およびデータテーブル、各種制御を実行するためのプログラムなどを記憶するものである。記憶部４０２としては、この分野で常用される各種記憶手段、例えば、リードオンリーメモリ（ＲＯＭ）、ランダムアクセスメモリ（ＲＡＭ）、ハードディスクドライブ（ＨＤＤ）などを用いることができる。
【００３３】
演算部４０１は、記憶部４０２に記憶されている各種情報および各種制御を実施するためのプログラムを取り出して演算処理や判定処理を行い、これらの処理結果に基づいて複合機１０が備える各装置に制御信号を送って各装置の動作を制御する。なお、演算部４０１は、例えば、中央演算処理装置（ＣＰＵ：Central Processing Unit）を備えるマイクロコンピュータ、マイクロプロセッサなどによって実現される処理回路である。
【００３４】
画像読取装置１００は、図２に示したように、画像出力装置３００が収容される筐体の上面に備えられており、原稿を読み取ってこの原稿の画像データを取得するものである。画像読取装置１００にて読み取られた原稿の画像データは、画像処理装置２００へと送られて所定の画像処理が施される。
【００３５】
画像処理装置２００は、画像出力装置３００が原稿を読み取って取得した画像データに対して、画像出力装置３００における印刷処理に適した画像データにするための画像処理を施し、画像出力装置３００に出力する。
【００３６】
画像出力装置３００は、画像処理装置２００から入力される画像データに応じた画像を記録紙上に形成（印刷）するものであり、給紙カセット３０１ａ〜３０１ｄ、記録紙搬送手段（図示せず）、画像形成手段（図示せず）、および排紙トレイ３０２を備えている。
【００３７】
そして、給紙カセット３０１ａ〜３０１ｄのうちのいずれかに載置されている記録紙が記録紙搬送手段によって画像形成手段に搬送され、搬送された記録紙上に画像形成手段によって画像が形成され、画像が形成された記録紙が記録紙搬送手段によって排紙トレイ３０２に排出される。
【００３８】
給紙カセット３０１ａ〜３０１ｄは記録紙を収容する記録紙収容手段であり、制御部４００が記録紙搬送手段を制御することによってこれら各給紙カセットのうちのいずれかから記録紙をピックアップさせて画像形成手段へと搬送させるようになっている。給紙カセット３０１ａ〜３０１ｄの詳細については後述する。
【００３９】
なお、複合機１０が、給紙カセット３０１ａ〜３０１ｄに加えて、大容量給紙装置（例えばＡ４サイズの記録紙３，０００枚を収納）を備えていてもよい。
【００４０】
また、画像形成手段の構成は特に限定されるものではなく、例えば、電子写真方式あるいはインクジェット方式の画像形成手段を用いることができる。また、記録紙搬送手段の構成については特に限定されるものではなく、例えば、従来から公知のピックアップローラ、搬送ローラ、記録紙センサーなどを備えたものを用いることができる。
【００４１】
操作パネル５００は、ユーザからの指示入力を受け付けて制御部４００に伝達する入力部５０２と、ユーザに呈示する各種情報を表示するための表示部５０１とを備えている。表示部５０１は、例えば液晶ディスプレイなどによって構成され、入力部５０２は例えば各種設定ボタンなどよって構成される。なお、表示部５０１の機能と入力部５０２の機能とを一体化させたタッチパネルを操作パネル５００に備えてもよい。本実施形態では、操作パネル５００として東芝製のＴＦＴ−ＬＣＤタッチパネル８．４インチ（型番ＬＴ０８４ＡＣ３７１００、駆動電圧ＶＤＤ＝３．３Ｖ、消費電力５．０Ｗ）を用いた。
【００４２】
発電部７００は、詳細は後述するが、圧電素子を備えた圧電素子ユニット７０２とバッテリー７０７，７０８とを備えており、この圧電素子ユニット７０２によって発電した電力をバッテリー７０７，７０８に蓄電しておき、複合機１０に対する外部からの電力供給が遮断された場合に、バッテリー７０７，７０８に蓄電しておいた電力を複合機１０に供給するものである。
【００４３】
通信部９００は、例えばモデムやネットワークカードより構成され、ネットワークに接続された他の装置（例えば、パーソナルコンピュータ、サーバー装置、他のデジタル複合機等）と画像データあるいは各種メッセージ等の送受信を行う。
【００４４】
電源供給部６００は、制御部４００の制御命令に応じて複合機１０に備えられる各装置に電力を供給する。なお、電源供給部６００は、通常時には複合機１０の外部から入力される、商用電力や自家発電電力（例えば、太陽光発電、太陽熱発電、温度差発電、ガス発電、燃料電池、コージェネレーションシステム等によって発電された電力）等の通常電源から供給される電力を用いて複合機１０の各部に電力を供給する。また、例えば、災害、送電線の断線、発電装置・送電装置等の故障などによって外部から通常時用の電力が供給されなくなったときには、発電部７００に備えられるバッテリー７０７，７０８に蓄電されている電力を電源供給部６００に出力し、電源供給部６００が発電部７００から入力される電力を用いて複合機１０の各部に電力を供給するようになっている。
【００４５】
（１−２．発電部７００の構成）
図４は、発電部７００の構成を示すブロック図である。この図に示すように、発電部７００は、発電制御部７０１、圧電素子ユニット７０２、整流部７０３、第１電圧リミッタ７０４、第１降圧部７０５、第２電圧リミッタ７０６、第１バッテリー（ＤＣ２４Ｖ用バッテリー）７０７、第２バッテリー（ＤＣ１２Ｖ用バッテリー）７０８、蓄電量検出部７０９、第２降圧部７１０、第３降圧部７１１、補助電力出力部７１２、第１スイッチ７１３、および第２スイッチ７１４を備えている。
【００４６】
発電制御部７０１は、複合機１０の制御部４００からの制御信号に応じて発電部７００の各部の動作を制御する。
【００４７】
また、発電制御部７０１は、複合機１０に外部から通常用の電力が供給されているか否かを監視している。例えば、発電制御部７０１は、複合機１０の制御部４００が動作しているか否かを定期的に（例えば１分毎に）または連続的に監視することによって複合機１０に外部から通常用の電力が供給されているか否かを監視する。そして、複合機１０に対する外部からの通常用の電力供給が遮断された場合、発電制御部７０１は、複合機１０の制御部４００とは独立して発電部７００の動作を制御する。なお、発電制御部７０１は、複合機１０に外部から通常用の電力が供給されている場合には電源供給部６００から供給される電力を用いて駆動され、複合機１０に対する外部からの通常用の電力供給が遮断された場合には第２バッテリー７０８に蓄電されている電力を用いて発電部７００の各部の動作を制御する。
【００４８】
圧電素子ユニット７０２は、外力が加えられることによって起電力を生じさせる圧電素子を複数備えており、これら圧電素子によって発電された電力を整流部７０３に出力する。なお、圧電素子ユニット７０２の詳細については後述する。
【００４９】
整流部７０３は、圧電素子ユニット７０２から入力される電力を整流して直流に変換し、第１電圧リミッタ７０４に出力する。
【００５０】
第１電圧リミッタ７０４は、入力端子が整流部７０３に接続され、出力端子が第１降圧部７０５および第１バッテリー７０７に並列に接続されており、出力電圧が２４Ｖより大きくならないように出力電圧の最大値を制限して第１降圧部７０５および第１バッテリー７０７に出力する。また、第１電圧リミッタ７０４と第１バッテリー７０７との間には第１スイッチ７１３が直列に接続されている。なお、第１電圧リミッタ７０４としては、従来から公知の電圧リミッタ回路を用いることができる。図５（ａ）は第１電圧リミッタ７０４の一例を示す回路図である。この図に示すように、本実施形態では、第１電圧リミッタ７０４として、ダイオード順電圧（ダイオード電圧降下）２４ＶのダイオードＤ１，Ｄ２を順方向が逆になるように互いに並列に接続した構成のものを用いた。
【００５１】
第１降圧部７０５は、第１電圧リミッタ７０４からの入力電圧をＤＣ２４ＶからＤＣ１２Ｖに降圧して第２電圧リミッタ７０６に出力する。なお、第１降圧部７０５としては、従来から公知の種々の降圧回路を用いることができる。図６は第１降圧部７０５の一例を示す回路図である。この図に示すように、本実施形態では、スイッチング素子ＳＷ１とチョークコイルＣＣ１とを入力端子のプラス側と出力端子のプラス側との間に直列に接続し、ダイオードＤ５をチョークコイルＣＣ１の入力側と出力端子のマイナス側との間に接続し、コンデンサＣＤ１をチョークコイルＣＣ１の出力側と出力端子のマイナス側との間に接続した構成のものを用いた。なお、スイッチング素子ＳＷ１のＯＮ／ＯＦＦは発電制御部７０１によって制御される。これにより、スイッチング素子ＳＷ１がＯＮのときにはスイッチング素子ＳＷ１およびチョークコイルＣＣ１を介して出力端子のプラス側に電流が流れ、スイッチング素子ＳＷ１がＯＦＦのときにはコンデンサＣＤ１、ダイオードＤ５、およびチョークコイルＣＣ１を介して出力端子のプラス側に電流が流れ、出力端子の電圧は１２Ｖで安定するようになっている。
【００５２】
第２電圧リミッタ７０６は、出力電圧が１２Ｖより大きくならないように出力電圧の最大値を制限して第２バッテリー７０８に出力する。なお、第２電圧リミッタ７０６と第２バッテリー７０８との間には第２スイッチ７１４が直列に接続されている。なお、第２電圧リミッタ７０６としては、第１電圧リミッタ７０４と同様、従来から公知の電圧リミッタ回路を用いることができる。図５（ｂ）は第２電圧リミッタ７０６の一例を示す回路図である。この図に示すように、本実施形態では、第２電圧リミッタ７０６として、ダイオード順電圧（ダイオード電圧降下）１２ＶのダイオードＤ３，Ｄ４を順方向が逆になるように互いに並列に接続した構成のものを用いた。
【００５３】
第１バッテリー（ＤＣ２４Ｖ用バッテリー、蓄電部）７０７は第１電圧リミッタ７０４から入力される電圧値２４Ｖの電力を蓄電する蓄電手段であり、第２バッテリー（ＤＣ１２Ｖ用バッテリー、蓄電部）７０８は第２電圧リミッタ７０６から入力される電圧値１２Ｖの電力を蓄電する蓄電手段である。第１バッテリー７０７および第２バッテリー７０８の構成は特に限定されるものではなく、従来から公知の種々の蓄電手段（例えば、ニッカド電池、ニッケル水素電池など）を用いることができる。本実施形態では、第１バッテリー７０７としてＴＯＡ社製の型番ＮＤＣ−２４０２（容量５００ｍＡｈ、電圧２４Ｖ）のものを用い、第２バッテリー７０８としてユニペックス社製の型番ＷＢＴ−２０００（容量２０００ｍＡｈ、電圧１２Ｖ）のものを用いた。
【００５４】
蓄電量検出部７０９は、第１バッテリー７０７および第２バッテリー７０８の蓄電量を検出し、検出結果を発電制御部７０１に伝達する。発電制御部７０１は、第１バッテリー７０７の蓄電量が所定値以上になった場合には第１スイッチ７１３を遮断して第１電圧リミッタ７０４から第１バッテリー７０７への電力供給を遮断させ、第２バッテリー７０８の蓄電量が所定値以上になった場合には第２スイッチ７１４を遮断して第２電圧リミッタ７０６から第２バッテリー７０８への電力供給を遮断させる。これにより、第１バッテリー７０７および第２バッテリー７０８に対する過充電を防止し、過充電による発熱やバッテリーの寿命低下を防止する。
【００５５】
また、第１バッテリー７０７の出力端子は補助電力出力部７１２に接続されており、第２バッテリー７０８の出力端子は補助電力出力部７１２、第２降圧部７１０、および第３降圧部７１１に並列に接続されている。
【００５６】
第２降圧部７１０は第２バッテリー７０８から入力されるＤＣ１２Ｖの電圧をＤＣ５Ｖに降圧して補助電力出力部７１２に出力し、第３降圧部７１１は第２バッテリー７０８から入力されるＤＣ１２Ｖの電圧をＤＣ３．３Ｖに降圧して補助電力出力部７１２に出力する。なお、第２降圧部７１０および第３降圧部７１１としては従来から公知の降圧回路を用いることができる。本実施形態では、第２降圧部７１０および第３降圧部７１１として、マキシム・ジャパン社製のパワーサプライレギュレータ（型番：ＭＡＸ７２２）を用いた。
【００５７】
補助電力出力部７１２は、複合機１０に対する外部からの通常用の電力供給が遮断された場合に、発電制御部７０１からの制御信号に応じて、第１バッテリー７０７および第２バッテリー７０８から入力されるＤＣ２４Ｖ、ＤＣ１２Ｖ、ＤＣ５Ｖ、およびＤＣ３．３Ｖの電力を電源供給部６００に出力する。
【００５８】
また、補助電力出力部７１２は、複合機１０に対する外部からの通常用の電力供給が遮断された場合に、発電制御部７０１からの制御信号に応じて、第２バッテリー７０８から入力されるＤＣ１２Ｖの電力の一部を発電制御部７０１に出力する。これにより、発電制御部７０１は、複合機１０に対する外部からの通常用の電力供給が遮断された場合には第２バッテリー７０８に蓄電されている電力を用いて駆動される。
【００５９】
また、本実施形態では、補助電力出力部７１２から出力される２４Ｖの電力を用いて複合機１０におけるＬＣＤパワーボード、スキャナコントロールボード、給紙駆動、ＰＣＵパワーボード、メインドライブユニット、プロセス駆動、ＦＵＮ等（いずれも図示せず）を駆動し、１２Ｖの電力を用いてトナー濃度センサー、ＣＣＤセンサー（いずれも図示せず）、および通信部９００を駆動し、５Ｖの電力を用いてＪＡＭ検知センサー（アクチュエーター）、フォトセンサー、外装カバー開閉検知センサー、ＩＣタグ等（いずれも図示せず）を駆動し、３．３Ｖの電力を用いて操作パネル５００等を駆動するようになっている。
【００６０】
なお、第１バッテリー７０７および第２バッテリー７０８の容量は、上記各部に非常時用の所定の動作（複合機１０に対する外部からの電力供給が遮断した場合に行うように設定されている動作）を行わせるために必要な電力を蓄電可能なように適宜設定すればよい。
【００６１】
（１−３．給紙カセット３０１ａ〜３０１ｄおよび圧電素子ユニット７０２の構成）
図１（ａ）は記録紙が給紙（載置）されている状態の給紙カセット３０１（３０１ａ〜３０１ｄ）を、記録紙を省略して描いた斜視図であり、図１（ｂ）は記録紙が給紙（載置）されていない状態の給紙カセット３０１（３０１ａ〜３０１ｄ）を描いた斜視図である。なお、給紙カセット３０１ａ〜３０１ｄの構成は略同様である。
【００６２】
図１（ａ）および図１（ｂ）に示したように、給紙カセット３０１は、記録紙載置台３１０、記録紙ガイド３１１ａ，３１１ｂ、記録紙ガイド３１２、給紙パッド３１３ａ，３１３ｂ、給紙分離爪３１４ａ，３１４ｂ、記録紙サイズ検知センサー３１５、接続端子３１６、および回転軸３１７を備えている。
【００６３】
記録紙載置台３１０は、一端部が回転軸３１７によって給紙カセット３０１の筐体に対して回転可能に取り付けられている。また、記録紙載置台３１０の裏面（鉛直方向下方側の面）は図示しないバネ等の付勢手段によって上方に付勢されている。これにより、記録紙が載置されている状態では図１（ａ）に示したように記録紙の重量に応じて記録紙載置台３１０の他端側が下降し、記録紙が載置されていない状態では図１（ｂ）に示したように他端側が給紙分離爪３１４ａ，３１４ｂに当接する位置まで上昇する。なお、記録紙が載置されている状態では、記録紙載置台３１０は最上層に載置されている記録紙が給紙分離爪３１４ａ，３１４ｂに当接する位置に保持される。
【００６４】
なお、記録紙載置台３１０における記録紙との当接部には、圧電素子ユニット７０２が備えられており、記録紙載置台３１０上に載置された記録紙の自重による圧力、記録紙の給紙（搬送）に伴う振動、および複合機１０における振動に起因する圧力が圧電素子ユニット７０２に作用するようになっている。圧電素子ユニット７０２の詳細については後述する。なお、図１（ａ）および図１（ｂ）には圧電素子ユニット７０２は図示していない。
【００６５】
記録紙ガイド３１１ａ，３１１ｂは記録紙載置台３１０の長手方向に垂直な方向の両側に記録紙載置台３１０を挟んで対向し、かつ対向方向に沿ってスライド可能なように設けられている。これにより、ユーザが記録紙載置台３１０に載置された記録紙を記録紙ガイド３１１ａ，３１１ｂで挟み込むように記録紙ガイド３１１ａ，３１１ｂをスライドさせることで載置された記録紙の位置を安定させるようになっている。
【００６６】
記録紙ガイド３１２は記録紙載置台３１０の長手方向の一端側に、当該方向に沿ってスライド可能に設けられている。ユーザが記録紙載置台３１０に載置された記録紙の端部に記録紙ガイド３１２を当接させるように記録紙ガイド３１２をスライドさせることで載置された記録紙の位置を安定させるようになっている。
【００６７】
給紙パッド３１３ａ，３１３ｂは、最下層に載置された記録紙を給紙する際にこの記録紙が記録紙載置台３１０を滑りやすくすることによってこの記録紙の給紙を補助するものである。
【００６８】
給紙分離爪３１４ａ，３１４ｂは、記録紙載置台３１０上に載置された記録紙の最上層の位置（１番上に積層されている記録紙の位置）を規定するとともに、図示しないピックアップローラによって付与される搬送力によって１番上に積層されている記録紙のみがこれら給紙分離爪３１４ａ，３１４ｂを乗り越えて搬送されることを許容し、それによって記録紙を１枚ずつ分離して搬送するためのものである。
【００６９】
記録紙サイズ検知センサー３１５は、記録紙載置台３１０上に載置された記録紙のサイズを検出するものである。例えば、記録紙サイズ検知センサー３１５は、記録紙ガイド３１１ａ，３１１ｂ、および記録紙ガイド３１２の位置に基づいて検出する。
【００７０】
接続端子３１６は、給紙カセット３０１と複合機１０とを電気的に接続するための端子である。具体的には、記録紙サイズ検知センサー３１５による記録紙サイズの検出結果が接続端子３１６を介して制御部４００に伝達され、圧電素子ユニット７０２によって発電された電力が接続端子３１６を介して発電部７００に供給される。
【００７１】
図７は記録紙載置台３１０の平面図である。本実施形態にかかる複合機１０において画像形成可能な記録紙の最小サイズはＢ５サイズ（縦２５７ｍｍ×横１８２ｍｍ）であり、最大サイズはＡ３サイズ（２９７ｍｍ×４２０ｍｍ）である。図７に示した破線は記録紙載置台３１０上に載置されたＢ５サイズの記録紙を示している。
【００７２】
図７に示したように、記録紙載置台３１０における記録紙搬送方向側（給紙パッド３１３ａ，３１３ｂが設けられている側）の端部における記録紙の幅方向の中央部には給紙カセット３０１からの記録紙の給紙状態を検出するための給紙状態検出部材に対応する切り掻き部３１８ａが設けられており、搬送方向とは反対側の端部における記録紙の幅方向の中央部には切り掻き部３１８ｂが設けられており、記録紙搬送方向に平行な両端部には記録紙ガイド３１１ａ，３１１ｂを平行移動させるための切り掻き部３１８ｃ，３１８ｄが設けられている。
【００７３】
図８（ａ）は、図７におけるＡ−Ａ断面の断面図である。この図に示すように、記録紙載置台３１０における記録紙載置面３１０ａの裏面（記録紙が載置される面とは反対側の面）には、圧電素子ユニット７０２が備えられている。
【００７４】
図８（ａ）に示したように、圧電素子ユニット７０２は、圧電素子アレイ７２４（７２４ａ〜７２４ｈ）が８層積層されており、これら各圧電素子アレイ７２４の間にはＡＢＳ樹脂からなる厚さ０．５ｍｍのスペーサ層７２５（７２５ａ〜７２５ｈ）が挿入されている。より詳細には、記録紙載置面３１０ａから遠い側から順に、緩衝層７２３、第１のスペーサ層７２５ａ、第１の圧電素子アレイ７２４ａ、第２のスペーサ層７２５ｂ、第２の圧電素子アレイ７２４ｂ、第３のスペーサ層７２５ｃ、第３の圧電素子アレイ７２４ｃ、第４のスペーサ層７２５ｄ、第４の圧電素子アレイ７２４ｄ、第５のスペーサ層７２５ｅ、第５の圧電素子アレイ７２４ｅ、第６のスペーサ層７２５ｆ、第６の圧電素子アレイ７２４ｆ、第７のスペーサ層７２５ｇ、第７の圧電素子アレイ７２４ｇ、第８のスペーサ層７２５ｈ、第８の圧電素子アレイ７２４ｈがこの順で積層されており、第８の圧電素子アレイ７２４ｈ上に記録紙載置面３１０ａを構成する板状部材が配置されている。
【００７５】
図８（ｂ）は、図８（ａ）のＢ部を拡大した拡大図である。この図に示すように、各スペーサ層７２５の周縁部（圧電素子アレイ７２４との対向領域の周囲の領域）には、スペーサ層同士の対向部に設けられた凹部７２６と、凹部内に設けられた外径７．９５ｍｍの円筒形状からなるボス部７２７と、ボス部７２７を貫挿するように設けられた内径８ｍｍのバネ７２８とが設けられている。なお、各スペーサ層７２５における図８（ｂ）の紙面左側の端部だけでなく、紙面右側の端部、紙面奥行き側の端部、および紙面手前側の端部についても同様に、凹部７２６、ボス部７２７、およびバネ７２８が設けられている。また、緩衝層７２３はバネ等の付勢手段によって上方に付勢されている。
【００７６】
これにより、記録紙載置台３１０上に記録紙が載置されると、各圧電素子アレイ７２４および各スペーサ層７２５に圧力が作用し、各圧電素子アレイ７２４に備えられる各圧電素子７２１に記録紙の自重による押圧力が作用する。
【００７７】
なお、各給紙カセット３０１ａ〜３０１ｄに備えられる記録紙載置台３１０には普通紙２５０枚を載置できるようになっている。Ｂ５サイズの普通紙の重量は約３．０ｇ／枚なので、Ｂ５サイズの普通紙２５０枚を載置した場合には、鉛直方向下向きに約０．７６ｋｇｆの荷重が圧電素子ユニット７０２に作用する。したがって、記録紙載置台３１０の水平方向に対する傾斜角度をθとすると、圧電素子ユニット７０２に対して垂直に約０．７６ｋｇｆ×ｃｏｓθの荷重が作用する。
【００７８】
図９は、図８（ａ）におけるＣ−Ｃ断面の断面図（記録紙載置台３１０における記録紙載置面３１０ａに平行な断面の断面図）である。この図に示すように、スペーサ層７２５上には複数の圧電素子７２１からなる圧電素子アレイ７２４が形成されている。なお、本実施形態では圧電素子アレイ１層あたり４０個の圧電素子７２１が備えられており、１つの給紙カセット３０１につき４０個×８層＝３２０個の圧電素子７２１が備えられている。また、４つの給紙カセット３０１ａ〜３０１ｄにそれぞれ圧電素子７２１が３２０個備えられているので、複合機１０全体では３２０個×４＝１２８０個の圧電素子７２１が備えられている。なお、各圧電素子７２１はスペーサ層７２５に接着固定されている。接着方法は特に限定されるものではなく、例えば、従来から市販されている各種の接着剤や両面テープなどを用いることができる。
【００７９】
各圧電素子７２１は、圧力が加えられることによって変形して電気を生じさせる。このような圧電素子としては、例えば、チタン酸バリウム、ジルコニア（ＺｒＯ２）などの圧電セラミックスからなるものや、リチウムタンタレート（ＬｉＴａＯ３）などの圧電単結晶からなるものなどを用いることができる（特許文献２参照）。
【００８０】
本実施形態では、各圧電素子７２１として、厚さ１００μｍ、直径２ｃｍのリチウムタンタレートからなる圧電単結晶の表面に、幅２０μｍ、深さ５０μｍの溝を２０μｍ間隔で形成したものを用いた。この圧電素子７２１は、０．０５ｇ／ｃｍ２の圧力を加えると、２０ｍＶの電圧を発生する。
【００８１】
また、上述した１２８０個の圧電素子７２１は直列に接続されている。これにより、記録紙載置台３１０上への記録紙の載置時に圧電素子ユニット７０２に作用する圧力、および給紙カセット３０１からの給紙動作に伴う振動、複合機１０の動作に起因する振動、複合機１０に作用する外力によって生じる振動等によって圧電素子ユニット７０２に作用する圧力により、各圧電素子７２１において０．０２Ｖ以上の起電力が生じ、圧電素子ユニット７０２から整流部７０３に最大で０．０２Ｖ×１２８０個＝２５．６Ｖ以上の電力が出力される。
【００８２】
（１−３．発電部７００の動作）
図１０は、発電部７００における処理の流れを示すフローチャートである。
【００８３】
まず、発電制御部７０１は、蓄電量検出部７０９による第１バッテリー７０７および第２バッテリー７０８の蓄電量の検出結果に基づいて、これら両バッテリーが満充電状態であるか否かを判断する（Ｓ１１）。そして、両バッテリーが共に満充電状態であると判断した場合、発電制御部７０１は、第１スイッチ７１３および第２スイッチ７１４を遮断して第１バッテリー７０７および第２バッテリー７０８への充電を中止し（Ｓ１２）、Ｓ１７の処理に移る。
【００８４】
一方、Ｓ１１において少なくとも一方のバッテリーが満充電ではないと判断した場合、発電制御部７０１は、第１バッテリー７０７が満充電であるか否かを判断する（Ｓ１３）。そして、第１バッテリー７０７が満充電であると判断した場合、発電制御部７０１は、第１スイッチ７１３を遮断して第１バッテリー７０７への充電を中止し（Ｓ１２）、Ｓ１７の処理に移る。
【００８５】
一方、Ｓ１３において第１バッテリー７０７が満充電ではないと判断した場合、発電制御部７０１は、第２バッテリー７０８が満充電であるか否かを判断する（Ｓ１５）。そして、第２バッテリー７０８が満充電であると判断した場合、発電制御部７０１は、第２スイッチ７１４を遮断して第２バッテリー７０８への充電を中止し（Ｓ１６）、Ｓ１７の処理に移る。なお、第２バッテリー７０８が満充電ではないと判断した場合、すなわち第１バッテリー７０７および第２バッテリー７０８が共に満充電ではない場合、発電制御部７０１は第１スイッチ７１３および第２スイッチ７１４を導通させたままＳ１７の処理に移る。
【００８６】
Ｓ１７において、発電制御部７０１は、複合機１０に対して通常電力（商用電力あるいは自家発電電力等）による電力供給がなされているか否かを判断する。そして、通常電力による電力供給がなされていると判断した場合には、Ｓ１１の処理に戻る。
【００８７】
一方、通常電力による電力供給がなされていないと判断した場合、発電制御部７０１は、補助電力出力部７１２を制御し、第１バッテリー７０７および第２バッテリー７０８に蓄電されている電力を複合機１０の電源供給部６００に出力させ（Ｓ１８）、Ｓ１１の処理に戻る。
【００８８】
これにより、圧電素子ユニット７０２が給紙カセット３０１ａ〜３０１ｄに対する給紙動作（記録紙の載置動作）に伴って作用する圧力を電力に変換して発電することができる。また、複合機１０あるいは設置環境において生じた振動により、圧電素子ユニット７０２に作用する圧力が変化した場合に、この振動のエネルギーを圧電素子ユニット７０２によって電力に変換することができる。
【００８９】
また、発電した電力を第１バッテリー７０７および第２バッテリー７０８に蓄電しておくことにより、複合機１０に対して通常電力の供給が何らかの原因で遮断された場合であっても、蓄電しておいた電力を複合機１０に供給することができ、それによって複合機１０の制御部４００が複合機１０の各部に非常時用の動作として予め設定された所定の動作を行わせることができる。
【００９０】
なお、本実施形態では、圧電素子ユニット７０２によって発電した電力を第１バッテリー７０７および第２バッテリー７０８に蓄電しておくものとしているが、これに限らず、発電した電力を複合機１０（あるいは画像読取装置１００）においてそのまま利用するようにしてもよい。
【００９１】
また、発電部７００による発電は、複合機１０の状態とは無関係に常時行うようにしてもよく、複合機１０が所定の状態（例えば複合機１０の電源スイッチがＯＮである状態など）である場合にのみ行うようにしてもよい。
【００９２】
また、第１バッテリー７０７または第２バッテリー７０８が満充電状態ではない場合（あるいは蓄電量が所定値以下である場合）に、発電制御部７０１が制御部４００にその旨を通知し、制御部４００が操作パネル５００の表示部５０１に給紙カセット３０１ａ〜３０１ｄに対する記録紙の給紙（載置）動作をユーザに促す画面を表示するようにしてもよい。
【００９３】
図１１は、上記の各処理を行う場合の発電部７００の処理の流れの一例を示すフローチャートである。
【００９４】
まず、発電制御部７０１は、複合機１０の電源スイッチがＯＮであるか否かを判断する（Ｓ２１）。この判断は、例えば、電源スイッチがＯＮであるか否かを示す信号を複合機１０の制御部４００が発電制御部７０１に送信し、発電制御部７０１が当該信号に基づいて判断するようにすればよい。
【００９５】
そして、発電制御部７０１は、複合機１０の電源スイッチがＯＦＦである場合には第１スイッチ７１３および第２スイッチ７１４を遮断し（Ｓ２２）、処理を終了する。
【００９６】
一方、発電制御部７０１は、複合機１０の電源スイッチがＯＦＦである場合には、蓄電量検出部７０９による第１バッテリー７０７および第２バッテリー７０８の蓄電量の検出結果に基づいて、これら両バッテリーが満充電状態であるか否かを判断する（Ｓ２３）。そして、両バッテリーが共に満充電状態であると判断した場合、発電制御部７０１は、第１スイッチ７１３および第２スイッチ７１４を遮断して第１バッテリー７０７および第２バッテリー７０８への充電を中止し（Ｓ２４）、Ｓ３１の処理に移る。
【００９７】
一方、Ｓ２３において少なくとも一方のバッテリーが満充電ではないと判断した場合、発電制御部７０１は、圧電素子ユニット７０２による発電が行われているか否かを判断し（Ｓ２５）、発電が行われていない場合には複合機１０の制御部４００にその旨を通知し、操作パネル５００の表示部５０１に給紙カセット３０１ａ〜３０１ｄに対する記録紙の給紙（載置）動作を促すメッセージを表示させる（Ｓ２６）。なお、上記メッセージの表示は、複合機１０の制御部４００が表示部５０１を制御して行わせてもよく、発電制御部７０１が表示部５０１を直接制御して行わせてもよい。また、圧電素子ユニット７０２によって発電が行われているか否かは、例えば圧電素子ユニット７０２から整流部７０３への出力電圧または出力電流を検出することによって行えばよい。
【００９８】
圧電素子ユニット７０２による発電が行われている場合、発電制御部７０１は、第１バッテリー７０７が満充電であるか否かを判断する（Ｓ２７）。そして、第１バッテリー７０７が満充電であると判断した場合、発電制御部７０１は、第１スイッチ７１３を遮断して第１バッテリー７０７への充電を中止し（Ｓ２８）、Ｓ３１の処理に移る。
【００９９】
一方、Ｓ２７において第１バッテリー７０７が満充電ではないと判断した場合、発電制御部７０１は、第２バッテリー７０８が満充電であるか否かを判断する（Ｓ２９）。そして、第２バッテリー７０８が満充電であると判断した場合、発電制御部７０１は、第２スイッチ７１４を遮断して第２バッテリー７０８への充電を中止し（Ｓ３０）、Ｓ３１の処理に移る。なお、第２バッテリー７０８が満充電ではないと判断した場合、すなわち第１バッテリー７０７および第２バッテリー７０８が共に満充電ではない場合、発電制御部７０１は第１スイッチ７１３および第２スイッチ７１４を導通させたままＳ３１の処理に移る。
【０１００】
Ｓ３１において、発電制御部７０１は、複合機１０に対して通常電力（商用電力あるいは自家発電電力等）による電力供給がなされているか否かを判断する。そして、通常電力による電力供給がなされていると判断した場合には、Ｓ２１の処理に戻る。
【０１０１】
一方、通常電力による電力供給がなされていないと判断した場合、発電制御部７０１は、補助電力出力部７１２を制御し、第１バッテリー７０７および第２バッテリー７０８に蓄電されている電力を複合機１０の電源供給部６００に出力させ（Ｓ３２）、Ｓ２の処理に戻る。
【０１０２】
ところで、上記の非常時用の動作、すなわち複合機１０への通常電力（商用電力あるいは自家発電電力など）の供給が遮断された場合に複合機１０において行う動作は特に限定されるものではないが、一例として以下の（１）〜（５）のうちのいずれか１つ以上の処理が挙げられる。
（１）操作パネル５００の表示部５０１に、通常電力による電力供給が遮断された場合に表示させるために予め設定されたメッセージを表示させる。上記メッセージとしては、例えば、通常電力による電力供給が遮断されていることを示すメッセージ、外部からの電力供給を復旧するための対処方法あるいは推奨される対処方法を示すメッセージ、外部からの電力供給を復旧するため処理を依頼する依頼先（例えば複合機１０の管理者、サービスマン、メーカーの相談窓口など）を示すメッセージ、通常電力による電力供給が遮断された場合に実行可能な処理内容を示すメッセージなどが挙げられる。本実施形態では、「電源系統の不具合が発生しています。管理担当者へ連絡してください。」というメッセージ表示させる。
（２）通信部９００から所定の送信先（例えば、複合機１０の管理者、管理センター、サービスマン等）に、通常電力の供給が遮断された旨のメッセージを送信する。
（３）画像読取装置１００の自動原稿搬送手段（図示せず）によって搬送中の原稿を排紙トレイ（図示せず）に排出する。
（４）画像出力装置３００の記録紙搬送手段によって搬送中の記録紙を所定の排出先に排出する。
（５）画像処理装置２００において処理中の画像データ、複合機１０における処理履歴情報などを所定のメモリーに保存する。
【０１０３】
本実施形態では、複合機１０への通常電力（商用電力あるいは自家発電電力など）の供給が遮断された場合に、補助電力出力部７１２がＤＣ２４Ｖ、ＤＣ１２Ｖ、ＤＣ５Ｖ、およびＤＣ３．３Ｖの電力を複合機１０に供給するものとしたが、これに限るものではない。発電部７００から複合機１０への出力電力は、複合機１０への通常電力（商用電力あるいは自家発電電力など）の供給が遮断された場合に複合機１０において行う処理内容に応じて適宜設定すればよい。例えば、上記（１）の表示のみを行う場合には、ＤＣ３．３Ｖの電力のみを供給するようにしてもよい。また、上記（１）の表示と上記（２）のメッセージの送信とを行う場合には、表示用のＤＣ３．３Ｖの電力と通信用のＤＣ１２Ｖの電力とを供給するようにしてもよい。
【０１０４】
また、第１バッテリー７０７および第２バッテリー７０８の蓄電容量は、複合機１０への通常電力の供給が遮断された場合に複合機１０において行う処理内容と、当該処理に伴い消費電力と、当該処理を継続する時間とを考慮して適宜設定すればよい。
【０１０５】
また、本実施形態では、圧電素子アレイ７２４が８層積層されている構成について説明したが、圧電素子アレイ７２４の積層数はこれに限るものではなく、圧電素子ユニット７０２の設置面積、必要とする電圧、各圧電素子の起電力等に応じて適宜設定すればよい。
【０１０６】
また、圧電素子ユニット７０２に備えられる圧電素子７２１の個数についても上述した個数に限定されるものではなく、複合機１０への通常電力の供給が遮断された場合に複合機１０に行わせる処理内容、および当該処理に必要な電圧等に応じて適宜設定すればよい。例えば、上記（１）の表示のみを行う場合には少なくともＤＣ３．３Ｖの電力を発電できるように圧電素子７２１の個数を設定すればよい。
【０１０７】
また、本実施形態では、複合機１０に対する外部からの電力供給が遮断された場合に、発電部７００が蓄電しておいた電力を電源供給部６００に供給し、複合機１０の制御部４００が複合機１０の各部を制御して所定の動作を行うものとしたが、これに限るものではない。例えば、複合機１０に対する外部からの電力供給が遮断された場合に、発電制御部７０１が複合機１０における所定の部材を制御して所定の動作を行わせるようにしてもよい。例えば、発電制御部７０１が表示部５０１を制御して所定のメッセージを表示させるようにしてもよい。
【０１０８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０９】
本発明は、給紙カセット（給紙装置）を備えた画像形成装置に適用できる。
【符号の説明】
【０１１０】
１０    複合機（画像形成装置）
１００  画像読取装置
３００  画像出力装置
３０１（３０１ａ〜３０１ｄ）  給紙カセット
３１０  記録紙載置台
３１０ａ  記録紙載置面
４００  制御部
５０１  表示部
６００  電源供給部
７００  発電部
７０１  発電制御部
７０２  圧電素子ユニット
７０３  整流部
７０４  第１電圧リミッタ
７０５  第１降圧部（降圧部）
７０６  第２電圧リミッタ
７０７  第１バッテリー（蓄電部）
７０８  第２バッテリー（蓄電部）
７０９  蓄電量検出部
７１０  第２降圧部（降圧部）
７１１  第３降圧部（降圧部）
７１２  補助電力出力部
７１３  第１スイッチ
７１４  第２スイッチ
７２１  圧電素子
７２３  緩衝層
７２４（７２４ａ〜７２４ｈ）  圧電素子アレイ
７２５（７２５ａ〜７２５ｈ）  スペーサ層
７２６  凹部
７２７  ボス部
７２８  バネ
９００  通信部
【図１】
2012006735.tif 000003
【図２】
2012006735.tif 000004
【図３】
2012006735.tif 000005
【図４】
2012006735.tif 000006
【図５】
2012006735.tif 000007
【図６】
2012006735.tif 000008
【図７】
2012006735.tif 000009
【図８】
2012006735.tif 000010
【図９】
2012006735.tif 000011
【図１０】
2012006735.tif 000012
【図１１】
2012006735.tif 000013